(57)【要約】    【課題】  芯内部を特殊構造にすることなく、また、芳香消臭液の層数に応じて本数を増やすことなく、２層の芳香液及び／または消臭液を最後までほぼ同じ割合で吸い上げて揮散させることができる吸い上げ芯及び芳香消臭具を提供する。    【解決手段】  吸い上げ芯は、下層液と該下層液よりも比重の小さい上層液とからなる上下２層の液状芳香消臭組成物に浸漬されて毛細管現象によって下層液及び上層液を吸い上げるための吸い上げ芯本体と、下層液及び上層液の単位時間当たりの吸い上げ量を調整する調整体とを備え、前記調整体は、前記吸い上げ芯本体のうち下層に浸漬される部分を外側から絞ることによって前記下層液の吸い上げ量を規制する絞り部を備える。また、前記調整体は、前記上層液の液面の上方から前記上層液の液中にかけての範囲で前記吸い上げ芯本体の外周面を覆うことによって前記吸い上げ芯本体との間に毛細管現象を発生させるための隙間を形成する被覆部と、前記上層と前記隙間とを通じさせるための通液部と、を備える。また、芳香消臭具は、容器と、前記吸い上げ芯とを備える。  【選択図】    図１
2006101910.tif 000002
【特許請求の範囲】
【請求項１】
下層液と該下層液よりも比重の小さい上層液とからなる上下２層の液状芳香消臭組成物に浸漬されて毛細管現象によって下層液及び上層液を吸い上げるための吸い上げ芯本体と、下層液及び上層液の単位時間当たりの吸い上げ量を調整する調整体とを備え、
前記調整体は、前記吸い上げ芯本体のうち下層に浸漬される部分を外側から絞ることによって前記下層液の吸い上げ量を規制する絞り部を備えたことを特徴とする吸い上げ芯。
【請求項２】
下層液と該下層液よりも比重の小さい上層液とからなる上下２層の液状芳香消臭組成物に浸漬されて毛細管現象によって下層液及び上層液を吸い上げるための吸い上げ芯本体と、下層液及び上層液の単位時間当たりの吸い上げ量を調整する調整体とを備え、
前記調整体は、前記上層液の液面の上方から前記上層液の液中にかけての範囲で前記吸い上げ芯本体の外周面を覆うことによって前記吸い上げ芯本体との間に毛細管現象を発生させるための隙間を形成する被覆部と、前記上層と前記隙間とを通じさせるための通液部と、を備えたことを特徴とする吸い上げ芯。
【請求項３】
前記調整体は、前記吸い上げ芯本体のうち下層に浸漬される部分を外側から絞ることによって前記下層液の吸い上げ量を規制する絞り部を備えたことを特徴とする請求項２に記載の吸い上げ芯。
【請求項４】
前記吸い上げ芯本体を縦長棒状に形成し、
前記吸い上げ芯本体が挿入される前記調整体を縦長筒状に形成し、前記調整体の内径を前記吸い上げ芯本体の外径よりも小さくすることによって前記絞り部を形成したことを特徴とする請求項１又は３に記載の吸い上げ芯。
【請求項５】
前記吸い上げ芯本体を縦長棒状に形成し、
前記吸い上げ芯本体が挿入される前記調整体を縦長筒状に形成し、前記調整体の内径を前記吸い上げ芯本体の外径よりも僅かに大きくすることによって前記被覆部を形成し、前記被覆部の一部を穿孔することによって前記通液部を形成したことを特徴とする請求項２又は３に記載の吸い上げ芯。
【請求項６】
前記吸い上げ芯本体を縦長棒状に形成し、
前記吸い上げ芯本体が挿入される前記調整体を縦長筒状に形成し、前記調整体の下端部の内径を前記吸い上げ芯本体の外径よりも小さくすることによって前記絞り部を形成し、前記下端部以外の前記調整体の内径を前記吸い上げ芯本体の外径よりも僅かに大きくすることによって前記被覆部を形成し、前記被覆部の一部を穿孔することによって前記通液部を形成したことを特徴とする請求項３に記載の吸い上げ芯。
【請求項７】
上下２層の液状芳香消臭組成物を収容した容器と、請求項１から６のいずれかに記載の吸い上げ芯と、を備えたことを特徴とする芳香消臭具。
【発明の詳細な説明】
【技術分野】
【０００１】
本発明は、容器に収容される下層及び上層からなる上下２層の芳香消臭液を同時に吸い上げるための吸い上げ芯及びそれを用いた芳香消臭具に関する。
【背景技術】
【０００２】
芳香消臭具は、一般に容器に収納した芳香消臭液中に棒状の吸い上げ芯の一端を浸し、他端を大気に触れるように露出させて芳香成分又は消臭成分を揮散するように設計されている。
【０００３】
２種以上の異なる香料を混合して独特の芳香を発生させるように調製された芳香消臭剤は、組み合わせようとする香料が水溶性香料と油溶性香料である場合、これらを単一溶媒に一緒に溶解させることは容易でなく、必然的に水性溶媒と油性溶媒のそれぞれに溶解させて２層に分離した状態で容器に収納させることになる。また、使用する香料が互いに相溶性がある場合であっても、色調、芳香性及び安定性等の点から敢えて両者を混合せずにそれぞれ互いに相溶性のない溶媒に溶解させて分離状態で容器に収納する場合もある。
【０００４】
芳香消臭液の各層液は、吸い上げ芯によって同時に吸い上げられて大気中に揮散して、使い始めからその終了時まで各層がほぼ同じ割合で消費されるのが望ましい。これによって、経時的に芳香性（質、度合い）や消臭性が変わることなく、最後まで安定した芳香消臭効果を発揮することが可能となるからである。
【０００５】
ところで、多層の液面の低下に伴って芳香消臭液の吸い上げ高さが大きくなると、吸い上げ負担が増加する。そして、図９に示すように芳香消臭具９１の容器９２内の上層９３に液位は、下層９４のそれと較べ、上層液の減量による液位低下に下層９４の液位低下が加わる分だけ大きくなる。その結果、上層液の吸い上げ高Ｈ２（上層９３の液面９４ａから吸い上げ芯９５の上端までの高さ）の増加割合は、下層液の吸い上げ高さＨ１（下層９４の液面９４ａから吸い上げ芯９５の上端までの高さ）のそれよりも大きくなることによって上層液の吸い上げ負担の割合が下層液のそれよりも大きくなって上下層の減量速度のバランスが崩れるという問題があった。
【０００６】
また、液中に浸漬される吸い上げ芯は、経時的にその下端が弛んで広がることにより、下層液の吸い上げ機能が増加して減量バランスが崩れるという問題があった。
【０００７】
かかる問題を解消するために、芳香消臭液の層数と同数の吸い上げ芯及びそれを用いた芳香消臭具（例えば、特許文献１参照）や、芯内部を特殊な構造にした吸い上げ芯及びそれを用いた芳香消臭具（例えば、特許文献２参照）が提案されている。
【０００８】
しかしながら、前者にあっては、一本の吸い上げ芯だけを用いる芳香消臭具と較べて組立工程が複雑化するなどの問題があり、後者にあっては、一本の吸い上げ芯で済ませることができるものの、芯内部を特殊構造にすることによって吸い上げ芯の製造が面倒になるという問題があった。
【特許文献１】特開昭５９−２０９３０７号公報
【特許文献２】特開平４−１５０８６４号公報
【発明の開示】
【発明が解決しようとする課題】
【０００９】
本発明は、芯内部を特殊構造にすることなく、また、芳香消臭液の層数に応じて本数を増やすことなく、２層の芳香液及び／または消臭液を最後までほぼ同じ割合で吸い上げて揮散させることができる吸い上げ芯及び芳香消臭具を提供する。
【課題を解決するための手段】
【００１０】
本発明の吸い上げ芯は、下層液と該下層液よりも比重の小さい上層液とからなる上下２層の液状芳香消臭組成物に浸漬されて毛細管現象によって下層液及び上層液を吸い上げるための吸い上げ芯本体と、下層液及び上層液の単位時間当たりの吸い上げ量を調整する調整体とを備え、前記調整体は、前記吸い上げ芯本体のうち下層に浸漬される部分を外側から絞ることによって前記下層液の吸い上げ量を規制する絞り部を備えたことを特徴とする。
【００１１】
また、本発明の吸い上げ芯は、下層液と該下層液よりも比重の小さい上層液とからなる上下２層の液状芳香消臭組成物に浸漬されて毛細管現象によって下層液及び上層液を吸い上げるための吸い上げ芯本体と、下層液及び上層液の単位時間当たりの吸い上げ量を調整する調整体とを備え、前記調整体は、前記上層液の液面の上方から前記上層液の液中にかけての範囲で前記吸い上げ芯本体の外周面を覆うことによって前記吸い上げ芯本体との間に毛細管現象を発生させるための隙間を形成する被覆部と、前記上層と前記隙間とを通じさせるための通液部と、を備えたことを特徴とする。
【００１２】
なお、前記隙間の大きさは、吸い上げ芯の吸液による体積膨張を考慮して設定される。
【００１３】
本発明の吸い上げ芯の調整体は、前記被覆部と、前記通液部と、前記絞り部とを備えるのが望ましい。
前記吸い上げ芯本体を縦長棒状に形成し、前記吸い上げ芯本体が挿入される前記調整体を縦長筒状に形成し、前記調整体の下端部の内径を前記吸い上げ芯本体の外径よりも小さくすることによって前記絞り部を形成するのが望ましく、また、前記下端部以外の前記調整体の内径を前記吸い上げ芯本体の外径よりも僅かに大きくすることによって前記被覆部を形成し、前記被覆部の一部を穿孔することによって前記通液部を形成するのが望ましい。
【００１４】
なお、調整体の下端部以外のすべての部位を前記吸い上げ芯本体の外径よりも大きくして吸い上げ芯本体との間に隙間を形成する必要はない。要は、上層液の液面よりも上方に上層液が毛細管現象によって浸透すれば良い。
【００１５】
本発明の芳香消臭具は、上下２層の液状芳香消臭組成物を収容した容器と、前記の吸い上げ芯と、を備えたことを特徴とする。
【発明の効果】
【００１６】
本発明の吸い上げ芯及び芳香消臭具によれば、以下の効果を奏する。調整体の絞り部で吸い上げ芯本体の下端を締め付けることによって、吸い上げ芯本体の該部分を圧迫して下層液の吸い上げ量を抑制することができる。また、それと同時に、経時的に吸い上げ芯本体の下端が広がるのを防止することによっても下層液の吸い上げ量を抑えることができる。
【００１７】
また、調整体の被覆部で上層液の液面の上方から上層液の液中にかけての範囲を覆って被覆部と吸い上げ芯本体との間に隙間を形成し、通液部を通じて該隙間に毛細管現象を利用して上層液を浸透させることによって、上層液が上層の実際の液面よりも高いところに保持されると共に、吸い上げ芯本体への上層液の接触面積が多くなることによって、上層液の吸い上げを促進することができる。その結果、上下層の減量バランスの崩れを改善することができる。
【００１８】
このように、本発明によれば、吸い上げ芯の芯内部を特殊構造にすることなく、また、芳香消臭液の層数に応じて本数を増やすこともなく、上下層の層液を同じ割合で吸い上げて揮散させることができるので、構造が簡単で組立が容易になり、製造コストの面で有利になる。
【００１９】
また、前記吸い上げ芯本体を縦長棒状に形成し、前記調整体を縦長筒状に形成し、前記調整体の下端部の内径を前記吸い上げ芯本体の外径よりも小さくすることによって前記絞り部を形成し、また、該下端部以外の前記調整体の内径を前記吸い上げ芯本体の外径よりも大きくすることによって前記被覆部を形成し、前記被覆部の一部に吸液孔を形成すれば、前記吸い上げ芯本体を前記調整体内に挿入することによって前記吸い上げ芯本体を前記絞り部で絞ると共に、前記吸い上げ芯本体と前記被覆部との間に前記隙間を形成することができ、吸い上げ芯を極めて容易に組み立てることができる。
【発明を実施するための最良の形態】
【００２０】
実施形態１
図１乃至図３のように、芳香消臭具Ａは、水層（下層）１と油層（上層）２の上下２層の液状芳香消臭組成物が収容された容器３と、吸い上げ芯本体４と調整体５とから成る吸い上げ芯Ｂと、吸い上げ芯で吸い上げられた２層の液状芳香消臭組成物を大気中に揮散させる揮散部材６と、揮散孔Ａ１を有するカバーＡ２と、を備えている。
【００２１】
液体芳香消臭組成物は、水層１と油層２からなっており、これらの少なくとも一方には１種以上の香料または消臭成分が含有され、水層１及び油層２は互いに相溶性がないように調製されている。
【００２２】
容器３は口部３１を備え、口部３１には蓋体３２が取り付けられ、蓋体３２には吸い上げ芯本体４の突出口３３が設けられ、突出口３３の口縁部からは調整体５が垂設されている。また、蓋体３２には揮散部材６の鍔部３４が形成され、該鍔部３４が容器３の口部３１の外周に取り付けられ、鍔部３４に揮散部材６が取り付けられ、揮散部材６と吸い上げ芯Ｂの吸い上げ芯本体４とは接触している。
【００２３】
吸い上げ芯本体４は、上下２層の液状芳香消臭組成物に浸漬されて毛細管現象によって水層液及び油層液を吸い上げるためのものであり、全長にわたって外径寸法が同径の縦長円柱状に形成されている。吸い上げ芯本体４は、毛細管現象による吸い上げ機能を発揮するために多孔質であることが好ましい。多孔質物としては、天然また合成繊維の集束物（繊維束）、織物、織布、不織布、合成樹脂粉末の集合物または焼結体、合成樹脂発泡体等を例示することができる。また、吸い上げ芯本体４は、単品の素材からなるものであっても２種以上の素材から構成されるものであってもよい。なお、吸い上げ芯本体４は、水層液をほとんど最後まで吸い上げるために容器３の底面に接触、またはわずか上方に位置させておくのが望ましい。
【００２４】
調整体５は、水層液及び油層液の単位時間当たりの吸い上げ量を調整するものであって、合成樹脂等にて縦長筒状に形成され、内径寸法は下端に行くほど小さくなるように設定され、調整体５の下端部の内径は吸い上げ芯本体４の外径よりも小さく設定されることによって絞り部５１が形成され、調整体５のうち絞り部５１以外の部位は被覆部５３とされ、該被覆部５３の一部には被覆部５３とほぼ同じ長さの範囲で縦長の通液孔（通液部の一例）５４が形成されている。そして、吸い上げ芯本体４を調整体５内に挿入すると、吸い上げ芯本体４の下端が絞り部５１で絞られて水層液の吸い上げ量が規制されると共に吸い上げ芯本体４と被覆部５３との間に毛細管現象を発生させるための隙間５２が形成される。なお、通液孔５４の幅寸法及び長さ寸法は適宜調整され、また、隙間５２は吸い上げ芯本体４の吸液による体積膨張を考慮して設定される。
【００２５】
そして、図４のように吸い上げ芯５を芳香消臭液の水層１及び油層２に浸漬すると、油層２の液面の上方から油層２の液中にかけての範囲で吸い上げ芯本体４の外周面が被覆部５３で覆われる。これによって、同図のように油層液は通液孔５４を通って隙間５２に浸透して油層２の実際の液面よりも高いところに油層液が保持されると共に、吸い上げ芯本体４への油層液の接触面積が多くなる。なお、芳香消臭液の減量前は、隙間５２の下部は水層１中に位置するようにしても良い。要は、隙間５２と絞り部５１とによって上下各層１，２の減量バランスが確保されれば良いのである。
【００２６】
揮散部材６は、芳香及び／消臭成分を可逆的に吸着及び脱着することができるものであれば特に限定はされず、例えば吸い上げ芯本体４と同様に多孔質物を挙げることができる。なお、吸い上げ芯本体４に揮散部材としての機能を付与すれば、揮散部材６を別部材として設ける必要はない。
【００２７】
実施形態２
図５は他の実施形態を示し、調整体５の被覆部５３の全周及び全長に亘って多数の通液孔（通液部の一例）５４ａが設けられている。このように、縦長の通液孔５４に代えて多数の通液部５４ａを設けても油層液を隙間に浸透させることができる。なお、その他の構成は実施形態１と同じであるので、図５に実施形態１と同じ符号を付すことにより、それらの説明を省略する。
【００２８】
なお、本発明の吸い上げ芯及び芳香消臭具は、以上の実施形態に限定されるものではない。
【００２９】
芳香消臭液の上下層の減り方のバランス度試験
実施例ａ〜ｃ及び比較例ａ，ｂを用い、芳香消臭液の上下各層の高さを測定することによって芳香消臭液の上下層の減り方のバランス度試験を行った。
【００３０】
容器３として容量が１４０ｍｌのマヨネーズ瓶を用い、このマヨネーズ瓶に油層液：水層液＝１：１（各４０ｍｌ）になるように芳香消臭液を充填し、マヨネーズ瓶の口部３１に蓋体３２を取り付け、蓋体３２に吸い上げ芯本体４及び揮散部材６を取り付けて室温で試験を行った。吸い上げ芯本体４の長さは、９４ ｍｍ、直径８ｍｍである。
【００３１】
実施例ａの吸い上げ芯は、上記実施形態１と同じ構成の調整体５を蓋体３２に設け、該調整体５に吸い上げ芯本体４を挿入したものである（図５（ａ））。調整体５の最大内径（上端の内径）は９．５ｍｍ、最小内径（下端の内径）は７．８ｍｍである。
【００３２】
実施例ｂは調整体５ｂを用い、この調整体５ｂは実施例ａの調整体５の絞り部を切断して絞り機能をなくし、調整体５の被覆部の機能のみを発揮させるようにしたものである（図６（ｂ））。
【００３３】
実施例ｃは調整体５ｃを用い、この調整体５ｃは通液孔の幅を広げて被覆部の機能をなくし、絞り部の機能のみを発揮させるようにしたものである（図６（ｃ））。
【００３４】
比較例ａは調整体を用いず、吸い上げ芯本体４のみを蓋体３２にセットしたものである（図７（ａ））。
【００３５】
比較例ｂは、実施例ｃの調整体５ｃの絞り部を切断することによって絞り機能がなくなるように構成された調整不能体５０を吸い上げ芯本体４の外側に設けたものである（図７（ｂ））。
【００３６】
試験結果を図８及び図９に示す。図８は実施例ａ〜ｂを用いた場合の上下層の減り方を示し、図９は比較例ａ，ｂを用いた場合の上下層の減り方を示す。なお、縦軸は上下各層の高さ、横軸は日数を示す。
【００３７】
実施例ａでは、最初から最後まで、減り方のバランスが良く、最後に上下層が同時になくなった（図８（ａ））。
【００３８】
実施例ｂでは、減量後期において減量バランスが崩れたものの、上下層の減量バランスは改善された（図８（ｂ））。
【００３９】
実施例ｃでは、実施例ｂと同様に、減量後期において減量バランスが崩れたものの、上下層の減量バランスは改善された（図８（ｃ））。
【００４０】
比較例ａでは、最初は吸い上げ高さの影響が少ないので均一に減量するが、その後すぐに減量バランスが大きく崩れ、水層液が早期になくなった（図９（ａ））。
【００４１】
比較例ｂでは、比較例ａと同様に、最初は吸い上げ高さの影響が少ないので均一に減量するが、その後すぐに、減量バランスが大きく崩れ、水層液が早期になくなった（図９（ｂ））。
【００４２】
以上のことから、上下２層をほぼ均一に減量させるためには、絞り部５１及び被覆部５３の少なくとも一方を有する調整体５，５ｂ，５ｃを設けるのが有効であることが判明した。
【図面の簡単な説明】
【００４３】
【図１】本発明の芳香消臭具の実施形態を示す斜視図である。
【図２】本発明の芳香消臭具の実施形態を示す正断面図である。
【図３】本発明の吸い上げ芯の実施形態を示す斜視図である。
【図４】本発明の吸い上げ芯の実施形態を示す断面図である。
【図５】本発明の芳香消臭具の他の実施形態を示す斜視図である。
【図６】本発明の実施例ａ〜ｃを示す正面図である。
【図７】比較例ａ，ｂを示す正面図である。
【図８】本発明の実施例ａ〜ｃを用いた場合の上下層の減り方を示す図である。
【図９】比較例ａ，ｂを用いた場合の上下層の減り方を示す図である。
【図１０】吸い上げ高さの変化を説明する図である。
【符号の説明】
【００４４】
Ａ      芳香消臭具
Ｂ      吸い上げ芯
１      水層（下層）
２      油層（上層）
３      容器
４      吸い上げ芯本体
５      調整体
５１    絞り部
５２    隙間
５３    被覆部
５４    通液孔（通液部）
５４ａ  通液孔（通液部）
６      揮散部材
【図１】
2006101910.tif 000003
【図２】
2006101910.tif 000004
【図３】
2006101910.tif 000005
【図４】
2006101910.tif 000006
【図５】
2006101910.tif 000007
【図６】
2006101910.tif 000008
【図７】
2006101910.tif 000009
【図８】
2006101910.tif 000010
【図９】
2006101910.tif 000011
【図１０】
2006101910.tif 000012